(57)【要約】      （修正有）【課題】ベッド、椅子の快適性を向上させる腰部支持構造を提供する。【解決手段】ベースフレーム１０に上下動自在に取り付けられたスライドフレーム２０と、該スライドフレーム２０の動作により持ち上げられる支持部４０とからなるベッドおよび椅子に設置される腰部支持構造であって、ベースフレーム１０は駆動器を有する長方形のフレーム体であり、両端部の前後端部に、それぞれスライド溝と軸支柱を設け、スライドフレーム２０は、枢着部を支点とするそれぞれ二本のフレーム部からなるＸ型フレームを構成し、底端両脚は前部嵌着孔２２と後部嵌着孔２３であり、頂端両脚は前部軸支孔２４と後部支軸２５である。前記嵌着孔２２は、スライド軸３４によりベースフレーム１０のスライド孔１１に設置され、後部嵌着孔２３は、ベースフレーム１０の支柱１２に枢着される。駆動器３０の作動により、スライドフレームが上下に作動し、支持部４０を持ち上げること。【選択図】図２
0003156982.tif 000002
【実用新案登録請求の範囲】
【請求項１】
ベッド、椅子の腰部支持構造であって、前記腰部支持構造は、ベースフレーム、スライドフレーム、駆動器、及び支持部を組み合わせてなり、    
前記ベースフレームは、長方形のフレーム体で、両側部の前後端部に、それぞれ、スライド溝と軸支柱を設け、前記の両側部の二軸支柱の間に下向きに固定部が延在し、前記ベースフレームの他端には上向きに複数のねじ孔を設け、
前記のスライドフレームは、二基からなり、それぞれ、枢着部によりＸ型フレーム体を形成し、底端両脚は、それぞれ、前部嵌着孔と後部嵌着孔で、頂端両脚は、それぞれ、前部軸支孔と後部支軸であり、また、前記スライドフレームの前記前部嵌着孔は前記ベースフレームの前記スライド溝に設置され、前記後部嵌着孔は前記軸支柱に枢着され、前記の二基のスライドフレームには前記前部軸支孔の間にスライド支軸を穿設し、
前記駆動器は、一端に位置決め端部を凸設し、前記位置決め端部により前記ベースフレームの前記固定部に枢着し、前記駆動器のもう一端には伸縮棒が延在し、且つ、前記伸縮棒の末端には通孔を貫通するとともに、前記通孔により前記ベースフレームのスライド溝に設置され、更に、スライド軸により同時に、前記スライド溝、前記通孔、及び前記前部嵌着孔を穿通して位置決めし、
前記支持部は、四隅に、それぞれ、前記スライドフレームと対応して、スライド溝と軸支孔を設け、前記スライド溝では前記スライド支軸が滑動自在であり、前記軸支孔は前記後部支軸を枢着してなり、前記駆動器は前記スライド軸を前記ベースフレームの前記スライド溝に沿って内側に短縮させ、前記スライドフレームが前記枢着部により回動し、前記支持部を押し上げて、前記ベースフレームの上方向へ移動させて、腰部の支持効果を達成することを特徴とするベッド、椅子の腰部支持構造。
【請求項２】
前記駆動器は、電動モーター装置であることを特徴とする請求項１に記載のベッド、椅子の腰部支持構造。  
【請求項３】
前記駆動器は、油圧装置であることを特徴とする請求項１に記載のベッド、椅子の腰部支持構造。
【請求項４】
前記二基のスライドフレームは、スライド支軸により、間隔管とパッドを設置してなることを特徴とする請求項１に記載のベッド、椅子の腰部支持構造。
【請求項５】
前記スライド軸は、前記スライド溝、前記通孔、前記前部嵌着孔の間に、間隔管とパッドを設置してなることを特徴とする請求項１に記載のベッド、椅子の腰部支持構造。
【請求項６】
前記支持部の上端は、軟性パッドを設けてなることを特徴とする請求項１に記載のベッド、椅子の腰部支持構造。
【考案の詳細な説明】
【技術分野】
【０００１】
本考案は、ベッド、椅子の腰部支持構造に関するものであって、特に、ベッドフレーム及び椅子に設け、腰部を支持することにより、ベッドフレーム及び椅子の快適性を向上させることが可能な腰部支持構造に関するものである。
【背景技術】
【０００２】
従来の多くのベッドフレームには、頭部、脚部を持ち上げる付加機能を有するものが使用されている。このような付加機能を有するベッドフレームの構造によれば、使用者が自身で自己の姿勢を適切に調整できるが、従来提案されているもののなかには腰部支持部分の付加機能を有するものについては提案されていない。
【０００３】
従って、使用者が横になったとき、腰部についてはベースフレームの効果的な支持を受けることができず、最適な眠りの姿勢をとることができないという事情がある。
【０００４】
また、一般の椅子は、腰部支持の構造を有するものも提案されてはいるが、その調整は手動で行わなければならないという煩雑さがある。
【０００５】
かかる提案によれば、その主要構造は、弾性片により靠れる支持部を形成し、背もたれにはロープを設け、このロープを固く締めるか、または緩めることにより腰部支持を調整する機能を有するものである。
【０００６】
しかし、かかる腰部支持構造は、手動で調整するものであるので、使用上、不便であり、また、弾性片は構造体が有する弾性のみにより調整するだけであるので、性能に制限があり、硬度不足の状況が生じ、実用性に乏しいものであることが指摘されてきた。
【０００７】
かかる状況下において、例えば、特許第３５０５１７８号公報によれば、座席、椅子等のシート背もたれに使用される腰支持具が提案されている。
【０００８】
かかる構造によれば、乗物の座席へ適用されるものであり、前記背もたれを長手方向に横切って延在し、両端が背もたれのそれぞれの両側部に隣接するように可撓性のストラップ状のバンドを含有するものである。該バンドは主たる支持領域を有し、かつ、互いに離間された上方領域と下方領域を有する構造のものであり、使用者の体格等に応じて伸長又は収縮して対応できるようにされているが、使用者の腰部を支持できるように調整可能なものではなかった。
【特許文献１】特許第３５０５１７８号公報
【考案の開示】
【考案が解決しようとする課題】
【０００９】
従って、本考案の課題は、ベッド、椅子の腰部支持構造を提供するものであり、ベッドフレーム及び椅子に設け、腰部を支持して、ベッドフレーム及び椅子の快適性を向上させることが可能なベッド、椅子の腰部支持構造を提供する点にある。
【課題を解決するための手段】
【００１０】
そこで、本考案者は、前記の開発状況に鑑み、本考案の課題を解決するため、鋭意検討を重ねた結果、後述するように、比較的簡単な部材の組合せであるベースフレーム（１０）とスライドフレーム（２０）と支持部（４０）とからなり、スライド軸（３４）がスライド溝（１１）内で移動し、スライドフレーム（２０）のハサミの如き動作により支持部（４０）を水平状態で持ち上げることができることに着目し、前記の本考案の課題を解決できることに着目し、かかる知見に基いて本考案を想到するに至った。
【００１１】
かくして、本考案によれば、請求項１において、
ベッド、椅子の腰部支持構造であって、前記腰部支持構造は、ベースフレーム、スライドフレーム、駆動器、及び支持部を組み合わせてなり、    
前記ベースフレームは、長方形のフレーム体で、両側部の前後端部に、それぞれ、スライド溝と軸支柱を設け、前記の両側部の二軸支柱の間に下向きに固定部が延在し、前記ベースフレームの他端には上向きに複数のねじ孔を設け、
前記のスライドフレームは、二基からなり、それぞれ、枢着部によりＸ型フレーム体を形成し、底端両脚は、それぞれ、前部嵌着孔と後部嵌着孔で、頂端両脚は、それぞれ、前部軸支孔と後部支軸であり、また、前記スライドフレームの前記前部嵌着孔は前記ベースフレームの前記スライド溝に設置され、前記後部嵌着孔は前記軸支柱に枢着され、前記の二基のスライドフレームには前記前部軸支孔の間にスライド支軸を穿設し、
前記駆動器は、一端に位置決め端部を凸設し、前記位置決め端部により前記ベースフレームの前記固定部に枢着し、前記駆動器のもう一端には伸縮棒が延在し、且つ、前記伸縮棒の末端には通孔を貫通するとともに、前記通孔により前記ベースフレームのスライド溝に設置され、更に、スライド軸により同時に、前記スライド溝、前記通孔、及び前記前部嵌着孔を穿通して位置決めし、
前記支持部は、四隅に、それぞれ、前記スライドフレームと対応して、スライド溝と軸支孔を設け、前記スライド溝では前記スライド支軸が滑動自在であり、前記軸支孔は前記後部支軸を枢着してなり、前記駆動器は前記スライド軸を前記ベースフレームの前記スライド溝に沿って内側に短縮させ、前記スライドフレームが前記枢着部により回動し、前記支持部を押し上げて、前記ベースフレームの上方向へ移動させて、腰部の支持効果を達成することを特徴とするベッド、椅子の腰部支持構造
が提供される。
【００１２】
請求項２に係る考案によれば、
前記駆動器は、電動モーター装置であることを特徴とする請求項１に記載のベッド、椅子の腰部支持構造が提供される。
【００１３】
請求項３に係る考案によれば、
前記駆動器は、油圧装置であることを特徴とする請求項１に記載のベッド、椅子の腰部支持構造が提供される。
【００１４】
請求項４に係る考案によれば、
前記二基のスライドフレームは、スライド支軸により、間隔管とパッドを設置してなることを特徴とする請求項１に記載のベッド、椅子の腰部支持構造が提供される。
【００１５】
請求項５に係る考案によれば、
前記スライド軸は、前記スライド溝、前記通孔、前記前部嵌着孔の間に、間隔管とパッドを設置してなることを特徴とする請求項１に記載のベッド、椅子の腰部支持構造が提供される。
【００１６】
請求項６に係る考案によれば、
前記支持部の上端は、軟性パッドを設けてなることを特徴とする請求項１に記載のベッド、椅子の腰部支持構造が提供される。
【００１７】
本考案に係るベッド、椅子の腰部支持構造は、主に、ベッドフレーム及び椅子に設置してなるものであり、腰部支持装置は、駆動器により動作出力し、スライド軸をスライド溝内で移動させ、スライドフレームのハサミのような操作変化により、水平状態で支持部を上昇させる効果を奏し、簡単な構成部材の組み合わせにより、腰部を支持することができ、ベッドフレーム及び椅子の快適性を向上させ、また、支持部の上昇高度をさらに上げることにより、適用範囲を増加させ、支持装置の実用性を向上させることができる。
【００１８】
尚、スライドフレームは、それぞれ、二基のＸ型フレームから構成され、低端両脚は、低い位置でのベースフレームとの二箇所での連結位置を意味し、前部嵌着孔と後部嵌着孔であり、一方、頂端両脚は、高い位置での支持部との二箇所の連結位置を意味し、前部軸支孔と後部支軸が該当する。
【考案の効果】
【００１９】
本考案は、前記の通りの構成からなるものであり、駆動器の駆動によりスライド軸をスライド構内で移動させスライドフレームのＸ型フレームのハサミの如き操作変化により水平状態で支持部を持ち上げることができるので、腰部を支持することができ、快適性を向上させることができる。  
【図面の簡単な説明】
【００２０】
【図１】本考案の一実施形態による腰部支持構造の斜視図である。
【図２】本考案の一実施形態による腰部支持構造の分解斜視図である。
【図３】本考案の一実施形態による腰部支持構造の側面図である。
【図４】本考案の一実施形態による腰部支持構造の上昇動作を示す側面図である。
【図５】本考案一実施形態による腰部支持構造をベッドフレームに応用した実施状態を示す斜視図である。
【図６】本考案の一実施形態による腰部支持構造の支持装置の持ち上げ動作を示す断面図である。
【図７】本考案の一実施形態による腰部支持構造のベッドフレームの支持動作を示す側面図である。
【図８】本考案の一実施形態による腰部支持構造の支持部に軟性パッドを装着した状態図である。
【図９】本考案の一実施形態による腰部支持構造を設置したベッドに使用者が横になった状態での支持動作を示す側面図である。
【考案を実施するための形態】
【００２１】
以下、本考案について、図面により、さらに具体的に説明する。
【００２２】
もっとも、本考案は、これらの実施例等により限定されるものではない。
【００２３】
本考案に係るベッド、椅子の腰部支持装置１００は、図１、図２で示されるように、ベースフレーム１０、二基のスライドフレーム２０、駆動器３０、および支持部４０を組み合わせてなる。
【００２４】
ベースフレーム１０は長方形のフレーム体であり、両側部の前後端部に、それぞれ、スライド溝１１と軸支柱１２を設けてある。スライド溝１１は長孔状で、両端に、それぞれ、内滑縁１１１と外滑縁１１２を形成し、且つ、二個の軸支柱１２の間に下向きに固定部１３が延在し、また、ベースフレーム１０には上向けに複数のねじ孔１４を設けてある。
【００２５】
二基のスライドフレーム２０は枢着部２１により、それぞれＸ型フレーム体を形成し、底端両脚は、それぞれ、前部嵌着孔２２と後部嵌着孔２３である。また、頂端両脚は、それぞれ、前部軸支孔２４と後部支軸２５である。
【００２６】
また、スライドフレーム２０の前部嵌着孔２２はベースフレーム１０のスライド溝１１に設置され、後部嵌着孔２３は軸支柱１２に枢着される。二基のスライドフレーム２０には前部軸支孔２４の間にスライド支軸２４１が穿通し、スライド支軸２４１には間隔管２４２とパッド２４３を設置してある。
【００２７】
駆動器３０は電動モーター装置又は油圧装置である。駆動器３０は一端に位置決め端部３１を凸設し、位置決め端部３１によりベースフレーム１０の固定部１３に枢着し、ベースフレーム１０の固定部１３と駆動器３０の位置決め端部３１は、柱支軸３２により枢着状態を形成する。
【００２８】
また、駆動器３０のもう一端には伸縮棒３３が延在し、且つ、伸縮棒３３の末端は、通孔３３１が貫通するとともに、通孔３３１によりベースフレーム１０のスライド溝１１に設置され、更に、スライド軸３４により同時に、スライド溝１１、通孔３３１、及び前部嵌着孔２２を穿通して位置が決定される。
【００２９】
また、スライド軸３４はスライド溝１１、通孔３３１、及び前部嵌着孔２２の間に間隔管３４１とパッド３４２を設けてあるので、駆動器３０とベースフレーム１０の位置決め効果を形成する。
【００３０】
支持部４０は、四隅に、それぞれ、スライドフレーム２０と対応して、スライド溝４１と軸支孔４２を穿設し、スライド溝４１にはスライド支軸２４１を滑動自在に設けてある。軸支孔４２には後部支軸２５が枢着する。
【００３１】
以上のような構造により、駆動器３０は、スライド軸３４をベースフレーム１０のスライド溝１１に沿って内側に短縮させ、スライドフレーム２０が枢着部２１により回動し、支持部４０を持ち上げて、ベースフレーム１０の外端方向（上方向）に移動させて、腰部の支持効果を達成する。
【００３２】
本考案に係る腰部支持構造の組み合わせは、図１〜図３で示され、二基のスライドフレーム２０は、それぞれ、ベースフレーム１０の両側部に設置され、且つ、スライドフレーム２０の前部嵌着孔２２はスライド溝１１の内側端に設置され、スライドフレーム２０の後部嵌着孔２３により軸支柱１２に枢着され、二基のスライドフレーム２０が対称的に装着される。
【００３３】
駆動器３０は、柱軸３２により位置決め端部３１を穿設すると共に、位置決め端部３１によりベースフレーム１０の固定部１３に枢着される。駆動器３０の伸縮棒３３はベースフレーム１０のスライド溝１１端部に向かい、この時、スライド軸３４によりスライド溝１１を穿通して滑動自在に設けられると同時に、二基のスライドフレーム２０の前部嵌着孔２２と駆動器３０の通孔３３１を穿通する。通孔３３１両端は、スライド軸３４に間隔管３４１とパッド３４２を設け、駆動器３０の作動状態を制限することができ、スライドフレーム２０が横に偏移するのを防止する。
【００３４】
支持部４０は、スライドフレーム２０の上端に設置され、且つ、軸支孔４２の内側端は二基のスライドフレーム２０の後部支軸２５が穿設し枢着される。スライドフレーム２０の前部軸支孔２４は支持部４０のスライド溝４１外端に設置され、且つ、前部軸支孔２４とスライド溝４１はいずれも、スライド支軸２４１の穿設を受け、両端のスライド溝４１間に間隔管２４２とパッド２４３を設置する。
【００３５】
これにより、スライドフレーム２０と支持部４０のスライド作動関係を形成し、支持装置１００の組み合わせ構造を形成することができる。
【００３６】
本考案に係る腰部支持構造の作動状態を図２〜図４で示す。
【００３７】
駆動器３０の伸縮棒３３が伸長状態時、伸縮棒３３はスライド軸３４をスライド溝１１の外滑縁１１２まで移動させ、スライドフレーム２０は前部嵌着孔２２により同方向の移動を受け、スライドフレーム２０は枢着部２１により回動する。この時、前部嵌着孔２２と後部嵌着孔２３は最遠距離状態になる。
【００３８】
また、駆動器３０の伸縮棒３３が内側に短縮する時、伸縮棒３３の通孔３３１はスライド軸３４をスライド溝１１の内滑縁１１１方向に移動させる。スライド軸３４によりスライドフレーム２０の前部嵌着孔２２を枢着し、スライド軸３４を同時に、前部嵌着孔２２を後方向で後部嵌着孔２３に移動させる。この時、スライドフレーム２０は枢着部２１で回動し、前部嵌着孔２２と後部嵌着孔２３が最短距離状態となる。
【００３９】
また、スライドフレーム２０の前部軸支孔２４と後部支軸２５の箇所で、挟合状で短縮する距離を有し、後部支軸２５は支持部４０の軸支孔４２に枢着されて、スライドフレーム２０の後部支軸２５端部が枢着状になり、支持部４０の軸支孔４２端を持ち上げる。前部軸支孔２４はスライド支軸２４１の滑移方式により支持部４０のスライド溝４１を持ち上げ、駆動器３０の伸縮棒３３の短縮とスライドフレーム２０の同時回動により、支持部４０が水平状態で上昇動作を行なう。
【００４０】
本考案に係る腰部支持構造の実際の応用は、図２、図５〜図７で示されるように、支持装置１００は、ベッドフレーム５０又は椅子構造に応用される。支持装置１００は。ベッドフレーム５０と椅子の上床板５１と背もたれの箇所に設置され、かかる箇所は、使用者がベッドに横になったり、椅子に着座するときの後腰部位置に該当する。
【００４１】
ベッドフレーム５０への応用を例にとると、支持装置１００は、ベースフレーム１０のねじ孔１４で、直接、ベッドフレーム５０の腰部ノッチ５２に固定（螺設）し、腰部ノッチ５２は上床板５１の使用者が横になったときの腰部位置に相当し、支持装置１００が未作動時、駆動器３０は伸長状態となる。この時、スライドフレーム２０はハサミが開いたような状態で、支持部４０はベースフレーム１０外端を支持せず、上床板５１は水平状態や傾斜状態に制限されない状況下で、腰部支持動作を実行する。同時に、ベッドフレーム５０の上端はマットレス５３を設置して、使用者が横になる時の快適性を提供する。
【００４２】
また、使用者が腰部を持ち上げたい場合、駆動器３０を制御して収縮棒３３を短縮させるだけで、スライドフレーム２０を作動させ、これにより、図７で示すように支持部４０を持ち上げ、ベッドマットレス５３は使用者の腰部で突出部を形成することができる。
【００４３】
また、図８、図９で示されるように、支持部４０の上端に軟性パッド５４を装着し、マットレス５３中に容設されて、独立して腰部を支持するので、支持部４０を利用して、使用者の後腰部位置に設ける。これにより、使用者の腰部を支持して、横になったときの腰部の圧力を減少させると共に、不快感をなくし、使用者の寝る姿勢を調整して、快適性を向上させることができる。
【００４４】
本考案に係る腰部支持構造によれば、上述の具体例の構造により、以下のような効果を奏する。
【００４５】
支持装置１００は、駆動器３０により動作出力し、スライド軸３４をスライド溝１１内で移動させ、スライドフレーム２０のハサミのような操作変化により、水平状態で支持部４０を持ち上げる効果を奏するので、簡単な構成要素の組み合わせにより、腰部を支持することができ、ベッドフレーム５０や椅子の快適性を向上させることができる。  
【００４６】
また、スライドフレーム２０はＸ字形状に設置され、且つ、枢着部２１を軸心とし、ハサミ状の回動により、支持部４０の上昇高度を上げることができるので、適用範囲を増加させるなど、支持装置１００の実用性を向上させることができる。
【００４７】
以上、本考案に係る腰部支持構造の好ましい実施例を開示したが、本考案は、これらにより限定するものではない。
【符号の説明】
【００４８】
１００  支持装置
１０    ベースフレーム
１１    スライド溝
１１１  内滑縁
１１２  外滑縁
１２    軸支柱
１３    固定部
１４    ねじ孔 
２０    スライドフレーム
２１    枢着部
２２    前部嵌着孔
２３    後部嵌着孔
２４    前部軸支孔
２４１  スライド支軸
２４２  間隔管
２４３  パッド
２５    後部支軸
３０    駆動器
３１    位置決め端部
３２    支軸
３３    伸縮棒
３３１  通孔
３４    スライド軸
３４１  間隔管
３４２  パッド
４０    支持部
４１    スライド溝
４２    軸支孔
５０    ベッドフレーム
５１    上床板
５２    腰部ノッチ 
５３    マットレス
５４    軟性パッド
【図１】
0003156982.tif 000003
【図２】
0003156982.tif 000004
【図３】
0003156982.tif 000005
【図４】
0003156982.tif 000006
【図５】
0003156982.tif 000007
【図６】
0003156982.tif 000008
【図７】
0003156982.tif 000009
【図８】
0003156982.tif 000010
【図９】
0003156982.tif 000011